(57)【要約】【課題】ダイニングやキッチンにおいて、服を引っ掛けたり、身体をぶつけること虞を生じることなく、レジ袋等の買物袋やふきん等を、使い勝手よく吊り下げることができるようにすること。【解決手段】天板外縁１４Ａから天板内方１４Ｂに切り込まれた切欠開口部２０を有し、切欠開口部２０の切込入口部２２Ａの少なくとも片側に天板の一部によって引掛用突出部２２を形成する。【選択図】図１
2012157615.tif 000002
【特許請求の範囲】
【請求項１】
天板外縁から天板内方に切り込まれた切欠開口部を有し、当該切欠開口部の切込入口の少なくとも片側に天板の一部によって引掛用突出部を形成された天板。
【請求項２】
前記切欠開口部の切込入口の切欠幅が当該切欠開口部の奥部の切欠幅より小さい請求項１に記載の天板。
【請求項３】
前記引掛用突出部は突出先端に前記切欠開口部の側に膨出した抜止膨出部を有している請求項１または２に記載の天板。
【請求項４】
前記引掛用突出部は前記切欠開口部の側に湾曲した形状をしている請求項１から３の何れか一項に記載の天板。
【請求項５】
前記引掛用突出部の上面が天板の主要部の上面より摩擦抵抗が大きい滑り止め面になっている請求項１から４の何れか一項に記載の天板。
【請求項６】
前記切欠開口部の切込入口が前記天板外縁の法線方向に延在している請求項１から５の何れか一項に記載の天板。
【発明の詳細な説明】
【技術分野】
【０００１】
本発明は、天板に関し、更に詳細には、ダイニングテーブルやシンク台、ガス台等のキッチンキャビネットの天板に関するものである。
【背景技術】
【０００２】
ダイニングやキッチンにおいては、レジ袋等の買物袋やふきん等を吊り下げるために、部屋壁、食器棚や冷蔵庫等の外壁に、粘着式、吸盤式、マグネット式等のフック部材を取り付けることが多くの一般家庭で行われている（例えば、特許文献１）。
【先行技術文献】
【特許文献】
【０００３】
【特許文献１】特開２０１０−２４００３４（Ｐ２０１０−２４００３４Ａ）
【発明の概要】
【発明が解決しようとする課題】
【０００４】
部屋壁、食器棚や冷蔵庫等の外壁に取り付けられたフック部材は、必ずそれら外壁より前方に突出したフック部を有するので、フック部の形状（フック形状）からして、それに服を引っ掛け易く、また身体をぶつける虞がある。
【０００５】
本発明が解決しようとする課題は、ダイニングやキッチンにおいて、服を引っ掛けたり、身体をぶつけたりする虞を生じることなく、レジ袋等の買物袋やふきん等を、使い勝手よく吊り下げることができるようにすることである。
【課題を解決するための手段】
【０００６】
本発明による天板は、天板外縁（１４Ａ）から天板内方（１４Ｂ）に切り込まれた切欠開口部（２０）を有し、当該切欠開口部（２０）の切込入口（２０Ａ）の少なくとも片側に天板（１４）の一部によって引掛用突出部（２２）を形成されている。
【０００７】
この構成によれば、天板に切欠開口部（２０）を設けるだけのシンプルな構成によって天板外縁１４Ａから外方に出っ張ることなく引掛用突出部（２２）が形成され、引掛用突出部（２２）に買い物袋等の手提げ部を引っ掛けることにより買い物袋等を天板より吊り下げることができる。引掛用突出部（２２）は天板外縁（１４Ａ）から外方に出っ張っていないので、引掛用突出部（２２）に服を引っ掛けたり、身体をぶつけたりすることがない。
【０００８】
本発明による天板は、好ましくは、前記切欠開口部（２０）の切込入口２０Ａの切欠幅（Ａ）が当該切欠開口部（２０）の奥部（２０Ｂ）の切欠幅（Ｂ）より小さい。
【０００９】
この構成によれば、引掛用突出部（２２）に引っ掛けた買い物袋（１００）等の手提げ部（１０２）が引掛用突出部より抜け落ち難くなる。
【００１０】
本発明による天板は、好ましくは、前記引掛用突出部（２２）は突出先端に前記切欠開口部（２０）の側に膨出した抜止膨出部（２４）を有している。
【００１１】
この構成によれば、引掛用突出部（２２）に引っ掛けた買い物袋（１００）等の手提げ部（１０２）が引掛用突出部より抜け落ち難くなる。
【００１２】
本発明による天板は、好ましくは、前記引掛用突出部が前記切欠開口部の側に湾曲した形状をしている。
【００１３】
この構成によれば、引掛用突出部（２２）に引っ掛けた買い物袋（１００）等の手提げ部（１０２）が引掛用突出部より抜け落ち難くなる。
【００１４】
本発明による天板は、好ましくは、前記引掛用突出部（２２）の上面が天板（１４）の主要部の上面より摩擦抵抗が大きい滑り止め面になっている。
【００１５】
この構成によれば、引掛用突出部（２２）に引っ掛けた買い物袋（１００）等の手提げ部（１０２）が引掛用突出部より抜け落ち難くなる。
【００１６】
本発明による天板は、好ましくは、前記切欠開口部（２０）の切込入口（２０Ａ）が前記天板外縁１４Ａの法線方向に延在している。
【００１７】
この構成によれば、買い物袋（１００）等の手提げ部（１０２）を切欠開口部（２０）の切込入口（２０Ａ）より切欠開口部（２０）の内方に差し込んで引掛用突出部（２２）に引っ掛ける作業を簡単に行える。
【発明の効果】
【００１８】
本発明による天板は、天板に切欠開口部を設けるだけのシンプルな構成によって天板外縁から外方に出っ張ることなく引掛用突出部が形成されているから、引掛用突出部に服を引っ掛けたり、身体をぶつけたりすることがない。
【図面の簡単な説明】
【００１９】
【図１】本発明による天板をダイニングテーブルの天板に適用した一つの実施形態を示す斜視図。
【図２】本実施形態による天板の要部の平面図。
【図３】本発明による天板の他の実施形態の要部の平面図。
【図４】本発明による天板の他の実施形態の要部の平面図。
【図５】本発明による天板の他の実施形態の要部の平面図。
【図６】本発明による天板の他の実施形態の要部の平面図。
【図７】本発明による天板の他の実施形態の要部の平面図。
【図８】本発明による天板の他の実施形態の要部の平面図。
【発明を実施するための形態】
【００２０】
本発明による天板をダイニングテーブルの天板に適用した一つの実施形態を、図１、図２を参照して説明する。
【００２１】
ダイニングテーブル１０は、垂直に起立した複数個の脚体１２と、脚体１２の上端に取り付けられた水平な天板１４とを有する。
【００２２】
天板１４は、長円形状をしていて、各種の硬質板材により構成することができる。天板１４の一部には高反発ウレタン等によるクッションパッド１６が貼り付けられている。クッションパッド１６上には、卵、果物等の転がり易い食品を置くのに便利である。また、天板１４の上面に凹部を形成し、凹部にクッションパッド１６を貼り付けてもよい。
【００２３】
天板１４には、天板外縁１４Ａから天板内方１４Ｂに切り込まれた切欠開口部２０が形成されている。切欠開口部２０は、天板１４を上下に貫通する開口であって、天板外縁１４Ａに開口する切込入口部２０Ａと、切込入口部２０Ａと連続している長円形をした奥部２０Ｂとを含む。切込入口部２０Ａの切欠幅（天板外縁延在方向幅）Ａは、奥部２０Ｂの切欠幅（天板外縁延在方向幅）Ｂより小さい。切込入口部２０Ａは、当該切込入口部２０Ａが天板外縁１４Ａに開口する部分の天板外縁１４Ａの法線方向に延在している。
【００２４】
これにより、切欠開口部２０は、湾口が狭い湾港のような形状になり、切込入口部２０Ａの両側に天板１４の一部によって左右対称の引掛用突出部２２が形成される。
【００２５】
引掛用突出部２２の上面は、微細な凹凸加工や梨面加工等を施され、天板１４の主要部上面より摩擦抵抗が大きい滑り止め面になっている。
【００２６】
この天板１４は、切欠開口部２０を設けるだけのシンプルな構成によって天板外縁１４Ａから外方に出っ張ることなく引掛用突出部２２が形成される。引掛用突出部２２にレジ袋１００の手提げ部１０２を引っ掛けることにより、レジ袋１００をダイニングーブル１０の天板１４より吊り下げることができる。
【００２７】
引掛用突出部２２は天板外縁１４Ａから外方に出っ張っていないので、引掛用突出部２２に服を引っ掛けたり、身体をぶつけたりする虞がない。ここで、引掛用突出部２２が天板外縁１４Ａから外方に出っ張っていないとは、図２に仮想線Ｌによって描かれている天板外縁１４Ａの連続線（引掛用突出部２２が形成されていない場合に存在する天板外縁）より天板１４より外方に突出していないことを意味する。
【００２８】
引掛用突出部２２は、左右一対であるので、図１に示されているように、レジ袋１００の一対の手提げ部１０２を各々左右の引掛用突出部２２に引っ掛けて天板１４より口が開いた状態で吊り下げることができるから、レジ袋１００に対する物の出し入れを容易に行えるようになる。
【００２９】
切欠開口部２０の切込入口部２０Ａは天板外縁１４Ａの法線方向に延在しているから、手提げ部１０２を引掛用突出部２２に引っ掛ける際には、切欠開口部２０の正面に向かって手提げ部１０２を切欠開口部２０の切込入口部２０Ａより切欠開口部２０の奥部２０Ａに真っ直ぐに差し込めばよく、引掛用突出部２２に手提げ部１０２を引っ掛ける作業を簡単に行える。
【００３０】
引掛用突出部２２の上面が他の部分の天板上面より摩擦抵抗が大きい滑り止め面になっているから、引掛用突出部２２に引っ掛けたレジ袋１００の手提げ部１０２が引掛用突出部２２より抜け落ち難くなる。
【００３１】
なお、切欠開口部２０の奥部２０Ｂの形状は、長円形に限られることはなく、例えば、図３に示されているように、矩形であってもよい。
【００３２】
また、図４に示されているように、引掛用突出部２２の突出先端には切欠開口部２０の奥部２０Ｂの側に膨出した半円形の抜止膨出部２４が形成されていてもよい。この実施形態では、引掛用突出部２２に引っ掛けた手提げ部１０２が引掛用突出部２２より抜け落ちよう動きが抜止膨出部２４によって止められ、手提げ部１０２が引掛用突出部２２より抜け落ち難くなる。
【００３３】
また、図５に示されているように、引掛用突出部２２は奥部２０Ｂに側に曲がった形状をしていてもよい。引掛用突出部２２が奥部２０Ｂに側に曲がった形状していることにより、引掛用突出部２２が天板外縁１４Ａの外方に出っ張ることなくがなく、引掛用突出部２２が真っ直ぐな場合よりも、手提げ部１０２が引掛用突出部２２より抜け落ち難くなる。
【００３４】
更には、図６に示されているように、引掛用突出部２２の先端に、奥部２０Ｂ側にＣ形に湾曲した抜止部２６が形成されていてもよく、この場合には手提げ部１０２が引掛用突出部２２より、より一層、抜け落ち難くなる。
【００３５】
なお、引掛用突出部２２は必ずしも切込入口部２０Ａの両側に設けられている必要はなく、切欠開口部２０は、図７に示されているように、切込入口部２０Ａの片側だけに引掛用突出部２２を形成する鉤形であってもよい。また、切込入口部２０Ａの切欠幅Ａが奥部２０Ｂの切欠幅Ｂより小さいことが必須ではなく、図８に示されているように、切込入口部２０Ａの切欠幅と奥部２０Ｂの切欠幅（最大幅）とが同じであってもよい。
【００３６】
なお、本発明による天板は、ダイニングテーブル用の天板に限られることはなく、各種テーブル、シンク台やガス台等のキッチンキャビネットの天板にも適用することができる。
【符号の説明】
【００３７】
１０  ダイニングテーブル
１２  脚体
１４  天板
１６  クッションパッド
２０  切欠開口部
２０Ａ  切込入口部
２０Ｂ  奥部
２２  引掛用突出部
２４  抜止膨出部
２６  抜止部
【図１】
2012157615.tif 000003
【図２】
2012157615.tif 000004
【図３】
2012157615.tif 000005
【図４】
2012157615.tif 000006
【図５】
2012157615.tif 000007
【図６】
2012157615.tif 000008
【図７】
2012157615.tif 000009
【図８】
2012157615.tif 000010